【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
分配容器システム（７）を保持するためのホルダ（５）であって、前記分配容器システムを前記ホルダに対して移動させるときに、前記分配容器システムに含まれる一定量の流体を分配するように構成され、分配された前記流体の量の回数を数えるための分配カウンタ手段（１２）を含み、前記ホルダが、内面と外面（３９）とを持つ成形されたプラスチック本体（３７）を有し、前記内面が、前記分配容器システムを移動可能に受けるように構成されたキャビティ（３８）を画定し、前記キャビティが、使用時に前記分配容器システムと前記本体とを相対移動させるときに、前記分配カウンタ手段と協働して前記分配カウンタ手段を進め、一定量の流体の分配を示すように構成され、成形されたカウンタ送り手段（６１）を有し、前記分配容器システムから分配された流体を排出することができるように、前記キャビティと連通する排出口（５９）が前記本体に形成され、開口（１００）が、前記カウンタ送り手段と位置合わせされて、前記外面から前記内面へ前記本体を通って延びるホルダ。
【請求項２】
前記カウンタ送り手段がラック状手段である、請求項１に記載のホルダ。
【請求項３】
前記ラック状手段がラック状部材または支柱である、請求項２に記載のホルダ。
【請求項４】
前記キャビティが前記ホルダの軸に沿って延び、前記分配容器システムが前記キャビティ内で軸方向に摺動して分配を行うことができる、請求項１から３のいずれか一項に記載のホルダ。
【請求項５】
前記本体が、軸（Ｄ−Ｄ）を中心とした所定の向きに配置されるときにのみ、前記分配容器システムを前記キャビティ内で受けるように構成される、請求項１から４のいずれか一項に記載のホルダ。
【請求項６】
前記分配容器システムの軸が、前記分配容器システムの尾端部と先端部との間に延びる、請求項５に記載のホルダ。
【請求項７】
前記カウンタ手段が、前記先端部に配置され、前記本体が、前記キャビティ内で前記カウンタ手段を前記所定の向きからの回転を防止するように構成される、請求項６に記載のホルダ。
【請求項８】
前記システムを前記所定の向きに位置合わせするための位置合わせ構成（４９）が、前記本体に設けられる、請求項５、６または７に記載のホルダ。
【請求項９】
前記位置合わせ構成が前記本体のスロット（４９）であり、前記システムが前記スロットに沿って摺動可能である、請求項８に記載のホルダ。
【請求項１０】
前記スロットが、前記カウンタ手段に係合して前記キャビティ内で前記カウンタ手段の回転を防止するように構成される、請求項９に記載のホルダ。
【請求項１１】
前記カウンタ手段が、計数を示す指標（２２）を表示するための表示部（２０）を有し、前記本体が、前記表示部と位置合わせされる窓（４９）を有する、請求項１から１０のいずれか一項に記載のホルダ。
【請求項１２】
前記窓が前記位置合わせ構成の一部を形成する、請求項８から１０のいずれか一項に従属する請求項１１に記載のホルダ。
【請求項１３】
前記排出口がノズルの形である、請求項１から１２のいずれか一項に記載のホルダ。
【請求項１４】
前記ノズルが、患者（９２）の鼻（９６）の鼻孔（９４）内で受けられる大きさに形成される、請求項１３に記載のホルダ。
【請求項１５】
前記カウンタ送り手段が、前記排出口と位置合わせされていない、請求項１から１４のいずれか一項に記載のホルダ。
【請求項１６】
前記排出口と流体連通する通路（５３）を持つ中空の台構造（５１）をさらに有し、流体が分配されるときに通る、前記容器システムの排出部材（１６）が、前記通路内で受けられて、前記通路が、分配された流体を前記排出部材から前記排出口へ運ぶことができるようになっている、請求項１から１５のいずれか一項に記載のホルダ。
【請求項１７】
前記通路が、前記排出部材を挿入可能な入口開口と、前記排出口と位置合わせされた出口開口とを有する、請求項１６に記載のホルダ。
【請求項１８】
前記出口開口が、間隙部により前記排出口から離間する、請求項１７に記載のホルダ。
【請求項１９】
前記カウンタ送り手段が、前記キャビティのベース面に配置される、請求項１から１８のいずれか一項に記載のホルダ。
【請求項２０】
前記台構造が、前記キャビティの前記ベース面に配置される、請求項１６から１８のいずれか一項に従属する請求項１９に記載のホルダ。
【請求項２１】
前記カウンタ送り手段が、前記台構造の側部に位置決めされる、請求項１９または２０に記載のホルダ。
【請求項２２】
前記本体が射出成形により形成される、請求項１から２１のいずれか一項に記載のホルダ。
【請求項２３】
前記分配容器システム（７）を含む、請求項１から２２のいずれか一項に記載のホルダ。
【請求項２４】
前記システムが、前記分配カウンタ手段（１２）が固定される容器（１０）を含む、請求項２３に記載のホルダ。
【請求項２５】
前記容器が、排出部材（１６）と容器部材（１４）とを有し、前記容器部材が流体を含んで、前記排出部材に対して移動して前記排出部材から前記流体を分配することができる、請求項２３または２４に記載のホルダ。
【請求項２６】
前記容器システムが、前記容器部材が前記排出部材に対して移動するときに分配を行い、前記台構造が、前記本体内で前記容器部材が前記排出部材に対して移動可能となるように、前記排出部材を前記本体に対して固定保持するように構成される、請求項１６に従属する請求項２５に記載のホルダ。
【請求項２７】
前記排出部材が、前記容器システムの前記先端部にある、請求項６に従属する請求項２５または２６に記載のホルダ。
【請求項２８】
前記容器がエアゾール容器である、請求項２３から２７のいずれか一項に記載のホルダ。
【請求項２９】
前記排出部材が、前記容器部材に固定されたバルブ機構の一部を形成し、前記バルブ機構が、前記本体内で前記容器部材を前記排出部材に対して移動させることにより、選択的に開放可能である、請求項２５に従属する請求項２８に記載のホルダ。
【請求項３０】
前記容器システムが、計量された投与量の流体を分配するための計量機構を有し、前記分配カウンタ手段が、分配された投与量の回数を数えるように構成される、請求項２３から２９のいずれか一項に記載のホルダ。
【請求項３１】
前記バルブ機構が計量バルブである、請求項２９または３０に記載のホルダ。
【請求項３２】
前記流体が調合薬である、請求項２３から３１のいずれか一項に記載のホルダ。
【請求項３３】
前記本体が、前記カウンタ送り手段を成形する型部を持つ型で成形され、前記本体に開口を残して、前記本体の成形後に、前記型部を前記本体から引き抜くことができるように、前記型部が前記型内に配置される、請求項１から３２のいずれか一項に記載のホルダ。
【請求項３４】
請求項１から３３のいずれか一項に記載のホルダの形の、外側部分と内側部分とを有する分配容器システムのホルダアセンブリであって、前記開口が前記外側部分により覆われる作動位置で、前記内側部分が前記外側部分に受けられるホルダアセンブリ。
【請求項３５】
前記外側部分が、作動位置にある前記内側部分と、前記内側部分により保持された分配容器システムとを囲い込む閉鎖状態と、前記分配容器システムが露出されることにより、前記内側部分に対して移動可能となって、一定量の流体を分配し、前記分配カウンタ手段を進める開放状態との間で、移動可能である、請求項３４に記載のホルダアセンブリ。